【手続補正書】
【提出日】平成22年3月2日(2010.3.2)
【手続補正１】
【補正対象書類名】特許請求の範囲
【補正対象項目名】全文
【補正方法】変更
【補正の内容】
【特許請求の範囲】
【請求項１】
入力された再生倍率を表す第１のパラメータに応じて、第２のパラメータおよび第３のパラメータを設定するパラメータ調節部と、
前記第２のパラメータおよび前記第３のパラメータに基づいて、前記オーディオ信号の話速および前記オーディオ信号の音の高さの少なくともいずれか一方を調節する信号処理部と、
を備え、
前記信号処理部は、前記入力された再生倍率が所定の閾値未満であった場合には、前記オーディオ信号の話速を調節し、前記入力された再生倍率が所定の閾値以上であった場合には、前記オーディオ信号の話速および音の高さを調節する、情報処理装置。
【請求項２】
前記信号処理部は、
前記オーディオ信号の再生速度である話速を変換する話速変換部と、
前記オーディオ信号の音の高さであるピッチを調節するピッチ調節部と、
を更に備え、
前記話速変換部は、前記第２のパラメータに基づき前記オーディオ信号の話速を変換し、
前記ピッチ調節部は、前記第３のパラメータに基づき前記オーディオ信号のピッチを調節する、請求項１に記載の情報処理装置。
【請求項３】
前記第１のパラメータは、前記第２のパラメータと前記第３のパラメータとの積に等しい、請求項１に記載の情報処理装置。
【請求項４】
前記信号処理部は、
当該信号処理部から出力される所定の信号処理が施されたオーディオ信号の出力制御を行うオーディオ信号出力制御部を更に備え、
前記オーディオ信号出力制御部は、
話速および音の高さの双方が調節されたオーディオ信号が前記信号処理部から出力される場合に、前記話速および音の高さの双方が調節されたオーディオ信号の音量を小さくする、請求項１に記載の情報処理装置。
【請求項５】
前記信号処理部は、
前記第１のパラメータに応じて、前記オーディオ信号の話速および前記オーディオ信号の音の高さの少なくともいずれか一方を調節する処理を行うか、高速再生していることを表す所定の擬音へと前記オーディオ信号を切り替えるか、を判定する擬音切替判定部を更に備え、
前記擬音切替判定部は、
前記第１のパラメータが所定の閾値以上であった場合に、前記オーディオ信号を前記所定の擬音に切り替える旨を判定し、
前記オーディオ信号出力制御部は、
前記擬音切替判定部から前記オーディオ信号を前記所定の擬音に切り替える旨の判定結果が伝送された場合に、前記オーディオ信号を前記所定の擬音に切り替えて出力する、請求項４に記載の情報処理装置。
【請求項６】
前記情報処理装置は、
前記オーディオ信号を含むコンテンツを管理するコンテンツ管理部を更に備え、
前記パラメータ調節部は、
入力された前記第１のパラメータに応じて、前記コンテンツ管理部から前記信号処理部へと出力される前記オーディオ信号のデータ量を調節する第４のパラメータを決定する、請求項１に記載の情報処理装置。
【請求項７】
前記パラメータ調節部は、
前記第１のパラメータが所定の閾値以上であった場合に、前記第４のパラメータを減少させ、前記コンテンツ管理部から前記信号処理部へと出力される前記コンテンツのデータ量を減少させる、請求項６に記載の情報処理装置。
【請求項８】
前記第１のパラメータと前記第４のパラメータとの積は、前記第２のパラメータと前記第３のパラメータとの積に等しい、請求項６に記載の情報処理装置。
【請求項９】
前記情報処理装置は、
前記オーディオ信号を含むコンテンツを管理するコンテンツ管理部を更に備え、
前記パラメータ調節部は、
前記コンテンツ管理部から伝送される、当該コンテンツ管理部から前記信号処理部へと出力される前記オーディオ信号のデータ量を調節する第４のパラメータと、入力される前記第１のパラメータとに基づいて、前記第２のパラメータおよび前記第３のパラメータを決定する、請求項１に記載の情報処理装置。
【請求項１０】
前記情報処理装置は、
入力される前記第１のパラメータと、前記第２のパラメータおよび前記第３のパラメータとが互いに関連づけられたデータベースが記録された記憶部を更に備え、
前記パラメータ調節部は、前記記憶部に記録された前記データベースを参照して、前記第２のパラメータおよび前記第３のパラメータを決定する、請求項１に記載の情報処理装置。
【請求項１１】
前記情報処理装置は、
入力される前記第１のパラメータと、前記第２のパラメータ、前記第３のパラメータおよび前記第４のパラメータとが互いに関連づけられたデータベースが記録された記憶部を更に備え、
前記パラメータ調節部は、前記記憶部に記録された前記データベースを参照して、前記第２のパラメータ、前記第３のパラメータおよび前記第４のパラメータを決定する、請求項６に記載の情報処理装置。
【請求項１２】
前記第１のパラメータが所定の閾値以上であった場合に、
前記パラメータ調節部は、前記第１のパラメータと前記所定の閾値との差に応じて、前記第２のパラメータを増加させる、請求項１に記載の情報処理装置。
【請求項１３】
入力された再生倍率を表す第１のパラメータに応じて、第２のパラメータおよび第３のパラメータを設定するパラメータ調節ステップと、
前記第２のパラメータおよび前記第３のパラメータに基づいて、前記オーディオ信号の話速および前記オーディオ信号の音の高さの少なくともいずれか一方を調節する信号処理ステップと、
を含み、
前記信号処理ステップでは、前記入力された再生倍率が所定の閾値未満であった場合には、前記第２のパラメータに基づいて前記オーディオ信号の話速を調節し、前記入力された再生倍率が所定の閾値以上であった場合には、前記第２のパラメータおよび前記第３のパラメータに基づいて前記オーディオ信号の話速および音の高さを調節する、情報処理方法。
【請求項１４】
前記パラメータ調節ステップでは、
第１のパラメータが、前記第２のパラメータと前記第３のパラメータとの積に等しくなるように、前記第２のパラメータおよび前記第３のパラメータが決定される、請求項１３に記載の情報処理方法。
【請求項１５】
前記信号処理ステップでは、
前記オーディオ信号の話速および音の高さの双方を調節した場合に、前記オーディオ信号の音量が小さくなるように、前記オーディオ信号の信号波形の振幅を制御する、請求項１３に記載の情報処理方法。
【請求項１６】
前記信号処理ステップでは、
前記第１のパラメータが所定の閾値以上であった場合に、前記オーディオ信号を、高速再生していることを表す所定の擬音へと切り替える、請求項１３に記載の情報処理方法。
【請求項１７】
前記パラメータ調節ステップでは、
前記第１のパラメータに応じて、前記信号処理ステップにて処理される前記オーディオ信号のデータ量を調節する第４のパラメータを更に決定する、請求項１３に記載の情報処理方法。
【請求項１８】
前記パラメータ調節ステップでは、
前記第１のパラメータが所定の閾値以上であった場合に、前記第４のパラメータを減少させ、前記オーディオ信号のデータ量を減少させる、請求項１７に記載の情報処理方法。
【請求項１９】
前記パラメータ調節ステップでは、
前記信号処理ステップにて処理される前記オーディオ信号のデータ量を調節する第４のパラメータと、前記第１のパラメータに応じて、前記第２のパラメータおよび前記第３のパラメータを決定する、請求項１３に記載の情報処理方法。
【請求項２０】
入力された前記再生倍率を表す第１のパラメータに応じて、第２のパラメータおよび第３のパラメータを設定するパラメータ調節機能と、
前記第２のパラメータおよび前記第３のパラメータに基づいて、前記オーディオ信号の話速および前記オーディオ信号の音の高さの少なくともいずれか一方を調節する信号処理機能と、
をコンピュータに実現させるためのプログラム。
【手続補正２】
【補正対象書類名】明細書
【補正対象項目名】００７０
【補正方法】変更
【補正の内容】
【００７０】
上述のように定義したＲＳを用いると、原波形（ａ）を「ＲＳ倍速再生する」といった表現も可能である。原波形（ａ）の位置Ｐ０から位置Ｐ０’の処理が終了したら、位置Ｐ０’を位置Ｐ１とし、改めて処理の起点と見なして同様の処理を繰り返す。かかる処理を繰り返すことで、原波形を圧縮することができる。
【手続補正３】
【補正対象書類名】明細書
【補正対象項目名】０２３２
【補正方法】変更
【補正の内容】
【０２３２】
ここで、図３８Ａの区間３８０９において、第２のパラメータＲｓが減少しているのは、上述の条件Ｂの影響を受けているためである。なお、図３８Ａおよび図３８Ｂから明らかなように、第４のパラメータＲｔによる影響は、第２のパラメータＲｓには及ぶものの、第３のパラメータＲｐには影響しない。換言すれば、信号処理部３３０７に伝送されるオーディオ信号のデータ量が減少する場合には、データ量の減少は、話速変換の度合いには影響するものの、音の高さの調整には影響しない。
【手続補正４】
【補正対象書類名】明細書
【補正対象項目名】０２４０
【補正方法】変更
【補正の内容】
【０２４０】
図３３〜図３９にて説明したように、本実施形態に係る再生倍率制御方法によれば、第１のパラメータＲの第１の範囲では話速の調節のみを行ない、第１のパラメータＲの第２の範囲では話速の調節と同時に音の高さの調節も行なうことができる。これにより、第１のパラメータＲの第１の範囲では、第１の問題が解決され、かつ、第１のパラメータＲの第２の範囲では、第２の問題が解決される。更に、第１のパラメータＲの第３の範囲では連続的な信号の読み出しを行ない、第１のパラメータＲの第４の範囲では断続的な信号の読み出しを行なうことができる。これにより、第４の範囲において第３の問題が改善され、第４の範囲を拡大させることができ、再生速度の上限を上げることが可能となる。
【手続補正５】
【補正対象書類名】明細書
【補正対象項目名】０２４５
【補正方法】変更
【補正の内容】
【０２４５】
パラメータ調節部３３０１は、上述の条件Ａおよび条件Ｂも兼ね備えている。図４１Ａは、第１のパラメータＲと第２のパラメータＲｓとの関係を示したグラフ図であり、図４１Ｂは、第１のパラメータＲと第３のパラメータＲｐとの関係を示したグラフ図である。
【手続補正６】
【補正対象書類名】明細書
【補正対象項目名】０２４９
【補正方法】変更
【補正の内容】
【０２４９】
ここで、区間４１０９において、第２のパラメータＲｓが減少しているのは、上述の条件Ｂの影響を受けているためである。なお、図４１Ａおよび図４１Ｂから明らかなように、第４のパラメータＲｔによる影響は、第２のパラメータＲｓには及ぶものの、第３のパラメータＲｐには影響しない。換言すれば、信号処理部３３０７に伝送されるオーディオ信号のデータ量が減少する場合には、データ量の減少は、話速変換の度合いには影響するものの、音の高さの調整には影響しない。